【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
偏平チューブ(1)とコルゲートフィン(2)とが交互に並列されてコア(3)を構成し、
各偏平チューブ(1)の両端が一対のチューブプレート(4)に挿通固定され、
前記コア(3)の両側に一対のサイドメンバー(5)が配置され、
そのサイドメンバー(5)の長手方向の両端が前記一対のチューブプレート(4)の長手方向の両方の側壁(6)の外面に一体に固定された熱交換器において、
前記サイドメンバー(5)は、前記コア(3)の長さに略等しい本体部(5a)と、前記本体部(5a)の両端に設けられた前記コア(3)の外側に向けて突出する段付き状に形成された段付き部(5b)とから成り、かつ、その本体部(5a)と段付き部(5b)とを合わせた長手方向の全長が、側壁部(5d)と底部(5c)とを有する横断面溝形に曲折形成されていて、
その溝形に曲折形成された段付き部(5b)の底部(5c)の面が一対の前記チューブプレート(4)の側壁(6)の外面に一体に固定され、
前記サイドメンバー(5)の長手方向両端部に位置し、前記底部(5c)の幅方向の中間部分で外側に向けて１以上のリブ(9)が一体に突設形成されていることを特徴とする熱交換器。
【請求項２】
請求項１に記載の熱交換器において、
前記リブ(9)が本体部(5a)と段付き部(5b)の先端部との間が斜めに連結される筋交い状のリブ(9)であることを特徴とする熱交換器。
【請求項３】
請求項２に記載の熱交換器において、
前記サイドメンバー(5)の段付き部(5b)は、筋交い状の前記リブ(9)を設けた部分以外の段面が水平に形成される水平段面(5e)を有し、その水平段面(5e)に一対の前記チューブプレート(4)の底部(4a)の外面が着座され、
前記サイドメンバー(5)の前記筋交い状のリブ(9)の先端(8)が、少なくともチューブプレート(4)の前記底部(4a)の外面の位置まで達するように構成されたことを特徴とする熱交換器。
【請求項４】
偏平チューブ(1)とコルゲートフィン(2)とが交互に並列されてコア(3)を構成し、
各偏平チューブ(1)の両端が一対のチューブプレート(4)に挿通固定され、
前記コア(3)の両側に一対のサイドメンバー(5)が配置され、
そのサイドメンバー(5)の長手方向の両端が前記一対のチューブプレート(4)の長手方向の両方の側壁(6)の外面に一体に固定された熱交換器において、
前記サイドメンバー(5)は、前記コア(3)の長さに略等しい本体部(5a)と、前記本体部(5a)の両端に設けられた前記コア(3)の外側に向けて突出する段付き状に形成された段付き部(5b)とから成り、かつ、その本体部(5a)と段付き部(5b)とを合わせた長手方向の全長が、側壁部(5d)と底部(5c)とを有する横断面溝形に曲折形成されていて、
その溝形に曲折形成された段付き部(5b)の底部(5c)の面が一対の前記チューブプレート(4)の側壁(6) の外面に一体に固定されていることを特徴とする熱交換器。
【請求項５】
請求項１〜請求項４のいずれかに記載の熱交換器において、
前記チューブプレート(4)からサイドメンバー(5)の長手方向に充分離間した位置で、その溝形のサイドメンバー(5)の本体部(5a)の底部(5c)が欠切された底無し部(10)を有すると共に、その底無し部(10)の位置で、その両側壁部(5d)が波形に曲折されて、そのサイドメンバー(5)が長手方向に変形容易な応力吸収部(11)を形成したことを特徴とする熱交換器。
【手続補正２】
【補正対象書類名】明細書
【補正対象項目名】０００５
【補正方法】変更
【補正の内容】
【０００５】
請求項１に記載の発明は、偏平チューブ(1)とコルゲートフィン(2)とが交互に並列されてコア(3)を構成し、
各偏平チューブ(1)の両端が一対のチューブプレート(4)に挿通固定され、
前記コア(3)の両側に一対のサイドメンバー(5)が配置され、
そのサイドメンバー(5)の長手方向の両端が前記一対のチューブプレート(4)の長手方向の両方の側壁(6)の外面に一体に固定された熱交換器において、
前記サイドメンバー(5)は、前記コア(3)の長さに略等しい本体部(5a)と、前記本体部(5a)の両端に設けられた前記コア(3)の外側に向けて突出する段付き状に形成された段付き部(5b)とから成り、かつ、その本体部(5a)と段付き部(5b)とを合わせた長手方向の全長が、側壁部(5d)と底部(5c)とを有する横断面溝形に曲折形成されていて、
その溝形に曲折形成された段付き部(5b)の底部(5c)の面が一対の前記チューブプレート(4)の側壁(6)の外面に一体に固定され、
前記サイドメンバー(5)の長手方向両端部に位置し、前記底部(5c)の幅方向の中間部分で外側に向けて１以上のリブ(9)が一体に突設形成されていることを特徴とする熱交換器である。
【手続補正３】
【補正対象書類名】明細書
【補正対象項目名】０００６
【補正方法】変更
【補正の内容】
【０００６】
請求項２に記載の発明は、請求項１に記載の熱交換器において、
前記リブ(9)が本体部(5a)と段付き部(5b)の先端部との間が斜めに連結される筋交い状のリブ(9)であることを特徴とする熱交換器である。
【手続補正４】
【補正対象書類名】明細書
【補正対象項目名】０００８
【補正方法】変更
【補正の内容】
【０００８】
請求項４に記載の発明は、偏平チューブ(1)とコルゲートフィン(2)とが交互に並列されてコア(3)を構成し、
各偏平チューブ(1)の両端が一対のチューブプレート(4)に挿通固定され、
前記コア(3)の両側に一対のサイドメンバー(5)が配置され、
そのサイドメンバー(5)の長手方向の両端が前記一対のチューブプレート(4)の長手方向の両方の側壁(6)の外面に一体に固定された熱交換器において、
前記サイドメンバー(5)は、前記コア(3)の長さに略等しい本体部(5a)と、前記本体部(5a)の両端に設けられた前記コア(3)の外側に向けて突出する段付き状に形成された段付き部(5b)とから成り、かつ、その本体部(5a)と段付き部(5b)とを合わせた長手方向の全長が、側壁部(5d)と底部(5c)とを有する横断面溝形に曲折形成されていて、
その溝形に曲折形成された段付き部(5b)の底部(5c)の面が一対の前記チューブプレート(4)の側壁(6) の外面に一体に固定されていることを特徴とする熱交換器である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項５に記載の発明は、請求項１〜請求項４のいずれかに記載の熱交換器において、
前記チューブプレート(4)からサイドメンバー(5)の長手方向に充分離間した位置で、その溝形のサイドメンバー(5)の本体部(5a)の底部(5c)が欠切された底無し部(10)を有すると共に、その底無し部(10)の位置で、その両側壁部(5d)が波形に曲折されて、そのサイドメンバー(5)が長手方向に変形容易な応力吸収部(11)を形成したことを特徴とする熱交換器である。
【手続補正７】
【補正対象書類名】明細書
【補正対象項目名】００１１
【補正方法】変更
【補正の内容】
【００１１】
請求項１に記載の発明は、サイドメンバー５が、コア３の長さに略等しい本体部５ａと、その両端に設けられたコア３の外側に向けて突出する段付き状に形成された段付き部５ｂとから成り、かつ、その本体部５ａと段付き部５ｂとを合わせた長手方向の全長が、側壁部５ｄと底部５ｃとを有する横断面溝形に曲折形成されていて、その溝形に曲折形成された段付き部５ｂの底部５ｃの面が一対の前記チューブプレート４の側壁６の外面に一体に固定され、その長手方向両端部の位置で、前記底部5cの幅方向の中間部分で外側に向けて１以上のリブ９が一体に形成されたので、サイドメンバー５の両端部の剛性が強化され、熱交換器の稼働中にそのコアが平面方向両側に膨出する応力が加わっても、サイドメンバー５に隣接する偏平チューブの根元の亀裂を確実に阻止し、信頼性の高い熱交換器を提供できる。
【手続補正８】
【補正対象書類名】明細書
【補正対象項目名】００１３
【補正方法】変更
【補正の内容】
【００１３】
請求項３に記載の発明は、上記構成において、サイドメンバー５の段付き部5bが水平段面5eとなるようにし、その水平段面5eにチューブプレート４の底部4aの外面がに着座されているので、より効果的に応力を支持することができ、サイドメンバーの段付き部5bの変形を防止することができる。
また、請求項４に記載の発明は、上記請求項１又は請求項２のリブ９の構成を除外したものである。このようなサイドメンバー５においても、サイドメンバー５に隣接する偏平チューブの根元の亀裂を確実に阻止し、信頼性の高い熱交換器を提供できる。
【手続補正９】
【補正対象書類名】明細書
【補正対象項目名】００１４
【補正方法】変更
【補正の内容】
【００１４】
請求項５に記載の発明は、チューブプレート４からサイドメンバー５の長手方向に充分離間した位置で、その溝形のサイドメンバー５の本体部5aの底部5cが欠切された底無し部10を有すると共に、その底無し部10の位置で、その両側壁部5dが波形に曲折されて、そのサイドメンバー５が長手方向に変形容易な応力吸収部11を形成しているので、サイドメンバー５の伸長方向にかかる応力に対しても、効果的にその応力を吸収することができる。